(57)【要約】【課題】本発明は、特に高品位テレビカメラを搭載した場合に、良好な映像を得ることができるテレビカメラハウジングを提供する。【解決手段】本発明のテレビカメラハウジング１０は、前面ガラス４０の傾斜角度θが、レンズ装置４０の前玉レンズ２４の表面で反射して前面ガラス４０のレンズ装置２０側の面に映った反射像光がレンズ装置２０に入射しない角度に設定されている。これにより、前面ガラス４０に映った前記反射像光は、レンズ装置２０に入射しないので、テレビカメラ１４から得られる画像は良好なものとなる。また、前面ガラス４０は、軸４４、ねじ棒４６及びガイド長孔４８からなる傾斜角度調整部材を介してハウジング本体１２に設けられているので、前面ガラス４０の傾斜角度θを任意の角度に設定できる。これにより、レンズ装置２０が広角レンズ装置に交換された際等に、そのレンズ装置に対応した傾斜角度θに容易に設定変更することができる。【選択図】      図１
2006135790.tif 000002
【特許請求の範囲】
【請求項１】
テレビカメラが収納されるとともに前面ガラスを備えたテレビカメラハウジングにおいて、
前記前面ガラスは、前記テレビカメラの光軸に対して所定角度傾斜して配置されていることを特徴とするテレビカメラハウジング。
【請求項２】
前記テレビカメラハウジングの前記前面ガラスは、上端部が下端部よりも被写体側に突出して傾斜されていることを特徴とする請求項１に記載のテレビカメラハウジング。
【請求項３】
前記テレビカメラハウジングの前部に形成されたフード部は、上部が下部により被写体側に突出した形状に形成され、前記前面ガラスは、前記フード部の前端の傾斜形状に沿って取り付けられていることを特徴とする請求項２に記載のテレビカメラハウジング。
【請求項４】
前記前面ガラスの傾斜角度は、前記レンズ装置のレンズ面で反射して前記前面ガラスに映った反射像光がレンズ装置に入射しない角度に設定されていることを特徴とする請求項１、２又は３のうちいずれか一つに記載のテレビカメラハウジング。
【請求項５】
前記前面ガラスは、傾斜角度調整部材を介して前記テレビカメラハウジングに設けられていることを特徴とする請求項１、２、３又は４のうちいずれか一つに記載のテレビカメラハウジング。
【請求項６】
前記テレビカメラは、標準品位テレビカメラよりも高精細度の画像情報を伝送する高品位テレビカメラあることを特徴とする請求項１、２、３、４又は５のうちいずれか一つに記載のテレビカメラハウジング。
【請求項７】
前記前面ガラスには、ワイパ装置が設けられていることを特徴とする請求項１、２、３、４、５又は６のうちいずれか一つに記載のテレビカメラハウジング。
【発明の詳細な説明】
【技術分野】
【０００１】
本発明はテレビカメラハウジングに係り、特に雲台装置に搭載されて使用されるテレビカメラハウジングに関する。
【背景技術】
【０００２】
屋外の雲台装置に搭載されて使用されるテレビカメラハウジングは、特許文献１、２、３等に記載されているように周知である。これらの特許文献１〜３に示されたテレビカメラハウジングは図２の如く、テレビカメラ１を収納するハウジング本体２と、ハウジング本体２の前面に設けられる前面ガラス３等から構成される。
【０００３】
前面ガラス３は、レンズ装置４の前玉レンズ（不図示）に対向配置されるとともにレンズ装置４の撮影光軸５に対して直交する方向に配設されている。また、前面ガラス３は、レンズ装置４の広角撮影時に撮影範囲がけられない大きさに形成されている。
【特許文献１】特開平８−２５４７３８号公報
【特許文献２】特開平１０−２８５４５４号公報
【特許文献３】特開２００３−２７４２３５号公報
【発明の開示】
【発明が解決しようとする課題】
【０００４】
ところで、テレビカメラハウジングに収納される近年のテレビカメラは、走査線が例えば５２５本のＳＤＴＶ（Standard Definition Television：標準品位（標準感度）テレビ）カメラから、走査線が例えば１２５０本のＨＤＴＶ（High Definition Television：高品位（高感度）テレビ）カメラに移行しつつある。
【０００５】
しかしながらＨＤＴＶカメラによって、例えばネオンサイン等の夜間の高輝度の被写体を撮影すると、ネオン映像が二重映像となって映りゴーストが発生するという問題があった。このような問題は、ＳＤＴＶカメラでは発生しない。
【０００６】
本発明は、このような事情に鑑みてなされたもので、良好な映像を得ることができるテレビカメラハウジングを提供することを目的とする。
【課題を解決するための手段】
【０００７】
本発明は、以下の見地に基づいてなされたものである。ネオンサイン等の夜間の高輝度の被写体を撮影する場合、テレビカメラのレンズ装置のレンズ面で反射したネオン映像が前面ガラスに映り込むという現象が発生する。ＳＤＴＶカメラでは、このネオン映像を撮影する性能を有していないためネオン映像が二重映像となることはないが、高精細であるＨＤＴＶカメラでは、そのネオン映像まで撮影してしまう。これが原因で、得られたネオン映像が二重映像となって映ったり、また、前玉レンズが凹レンズの場合には反射したネオン映像が天地逆さまの映像となって映ったりするということを突き止めた。
【０００８】
そこで、このような不具合を防止するために、請求項１に記載の発明によれば、前記目的を達成するために、テレビカメラが収納されるとともに前面ガラスを備えたテレビカメラハウジングにおいて、前記前面ガラスは、前記テレビカメラの光軸に対して所定角度傾斜して配置されていることを特徴としている。前面ガラスがテレビカメラの光軸に対して所定角度傾斜して配置されているので、テレビカメラのレンズ装置のレンズ面で反射して前面ガラスに映った反射像光はレンズ装置に入射しない。これにより、良好な映像を得ることができる。
【０００９】
請求項２に記載の発明は、請求項１に記載のテレビカメラハウジングにおいて、前記テレビカメラハウジングの前記前面ガラスは、上端部が下端部よりも被写体側に突出して傾斜されていることを特徴とする。
【００１０】
また、請求項３に記載の発明は、請求項２に記載のテレビカメラハウジングにおいて、前記テレビカメラハウジングの前部に形成されたフード部は、上部が下部により被写体側に突出した形状に形成され、前記前面ガラスは、前記フード部の前端の傾斜形状に沿って取り付けられていることを特徴とする。
【００１１】
請求項２は、前面ガラスの傾斜方向を規定したものであり、請求項３は、テレビカメラハウジングに予め設けられているフード部の前面に沿って前面ガラスを配置したことを特徴としている。
【００１２】
請求項４に記載の発明は、請求項１、２又は３のうちいずれか一つに記載の発明において、前記前面ガラスの傾斜角度は、前記レンズ装置のレンズ面で反射して前記前面ガラスに映った反射像光がレンズ装置に入射しない角度に設定されていることを特徴としている。この角度に前面ガラスの傾斜角度を設定することにより、前面ガラスに映った反射像光はレンズ装置に入射しないので、二重映像のない良好な映像を得ることができる。
【００１３】
請求項５に記載の発明は、請求項１、２、３又は４のうちいずれか一つに記載の発明において、前記前面ガラスは、傾斜角度調整部材を介して前記テレビカメラハウジングに設けられていることを特徴としている。傾斜角度調整部材を設けることにより、前面ガラスの傾斜角度を任意の角度に設定できるので、レンズ装置が広角レンズ装置に交換された際等に、そのレンズ装置に対応した傾斜角度に設定変更することができる。
【００１４】
請求項６に記載の発明は、請求項１、２、３、４又は５のうちいずれか一つに記載の発明において、前記テレビカメラは、標準品位テレビカメラよりも高精細度の画像情報を伝送する高品位テレビカメラであることを特徴としている。高品位テレビカメラを使用するが故の問題、すなわち前述した前面ガラスの反射像光の映り込み問題を解消することができる。
【００１５】
請求項７に記載の発明は、請求項１、２、３、４、５又は６のうちいずれか一つに記載の発明において、前記前面ガラスには、ワイパ装置が設けられていることを特徴としている。前面ガラスにワイパ装置を設けることにより、前面ガラスに付着した水滴、塵埃等をワイパ装置のワイパブレードによって除去することができるので、常に良好な映像を提供できる。ところで、ワイパブレードを駆動するモータを、前面ガラス側に固定した場合、前面ガラスの傾斜角度調整時に、モータの重量が前面ガラスにかかるため微妙な角度調整が難しくなる。そこで、モータはテレビカメラハウジングのハウジング本体側に固定することにより前面ガラスの角度調整作業を容易にし、且つモータの動力を例えばユニバーサルジョイント等の自在継手を介してワイパブレードに伝達する。これにより、前面ガラスの傾斜角度が変化しても、その自在継手が吸収するので、モータをハウジング本体に固定してもモータの動力をワイパブレードに問題なく伝達することができる。
【発明の効果】
【００１６】
本発明に係るテレビカメラハウジングによれば、テレビカメラハウジングの前面ガラスが、レンズ装置の光軸に対して所定角度傾斜して配置されているので、レンズ装置のレンズ面で反射して前面ガラスに映った反射像光はレンズ装置に入射せず、これにより、良好な映像を得ることができる。
【発明を実施するための最良の形態】
【００１７】
以下、添付図面に従って本発明に係るテレビカメラハウジングの好ましい実施の形態について詳説する。
【００１８】
図１は、実施の形態のテレビカメラハウジング１０を示した断面図である。このテレビカメラハウジング１０は、例えばビルの屋上等の屋外に設置された雲台装置（不図示）に搭載され、不図示のコントローラによって雲台装置のパン軸及びチルト軸が駆動制御されることにより水平位置及び垂直位置が遠隔制御されている。
【００１９】
テレビカメラハウジング１０のハウジング本体１２に収納されるテレビカメラ１４は、カメラ本体１６のバヨネットマウント部１８にレンズ装置２０のマウント部２２を連結することにより構成されている。実施の形態のカメラ本体１６は、いわゆるハイビジョン対応型のカメラであり、走査線１１２５本（標準品位（高感度）テレビ；５２５本）、アスペクト比１６：９（同４：３）、信号帯域２０ＭＨz （同４. ２ＭＨz ）と標準品位（標準感度）テレビの約５倍の高精細度の画像情報を伝送する高品位テレビカメラである。
【００２０】
レンズ装置２０は、ＥＮＧタイプのレンズ装置であり、そのレンズ構成は被写体からカメラ本体１６に向かって前玉レンズ２４、フォーカスレンズ（不図示）、ズームレンズ（不図示）及びエクステンダレンズ（不図示）等から構成されている。フォーカスレンズは、撮影光軸３０に沿って前後移動自在に支持されるとともに、レンズ装置２０の固定鏡胴２６に回動自在に設けられたフォーカスリング２８が回動操作されることにより撮影光軸３０に沿って前後移動される。この前後移動動作によって被写体のピントが合わされる。また、ズームレンズは、撮影光軸３０に沿って前後移動自在に支持されるとともに、固定鏡胴２６に回動自在に設けられたズームリング３２が回動操作されることにより撮影光軸３０に沿って前後移動される。この前後移動動作によって被写体の撮影倍率が適宜調整される。更に、エクステンダレンズは、レンズ装置２０の後端部に一体的に設けられたエクステンダユニット３４に内蔵されている。また、エクステンダレンズは、撮影光軸３０に対して直交方向に進退移動自在に設けられ、エクステンダユニット３４の駆動部からの動力により撮影光軸３０に対して直交方向に進退移動される。エクステンダレンズを撮影光軸３０に進出移動させると、撮影倍率が例えば１倍から２倍に切り換えられる。
【００２１】
フォーカスリング２８、及びズームリング３２は、レンズ装置２０に外付けされたドライブユニット３６によって駆動される。ドライブユニット３６は、前述した雲台装置と同様にコントローラによって遠隔制御されている。符号３８、３８は、前記コントローラからの制御信号をドライブユニット３６に伝送するケーブルである。
【００２２】
ところで、実施の形態のテレビカメラハウジング１０は、レンズ装置２０の前玉レンズ２４に対面する、テレビカメラハウジング１０の前面ガラス４０が、レンズ装置２０の撮影光軸３０に対して所定角度θ傾斜して配置されている。すなわち、前面ガラス４０は、撮影光軸３０に対する直交位置からθ傾斜して配置される。この角度θは、前玉レンズ２４のレンズ表面で反射して前面ガラス４０のレンズ側の面に映った反射像光が、レンズ装置２０に入射しない角度に設定されている。これにより、前面ガラス４０に映った反射像光は、レンズ装置２０に入射しないので、高品位のテレビカメラ１４で得られる画像は良好なものとなる。
【００２３】
また、前面ガラス４０は、前面ガラス４０の上端部が下端部よりも被写体側に突出して傾斜されている。また、テレビカメラハウジング１０の前部に形成されたフード部１１は、上部が下部により被写体側に突出した形状に形成され、前面ガラス４０は、フード部１１の前端の傾斜形状に沿って取り付けられている。なお、前面ガラス４０の傾斜方向は、前記方向に限定されるものではない。
【００２４】
前面ガラス４０は矩形状（円形でもよい）に形成されるとともに、広角撮影時に撮影範囲がけられない大きさに形成されている。また、前面ガラス４０は、その全縁部がガラス保持枠４２に保持され、このガラス保持枠４２を介してハウジング本体１２の前面開口部（不図示）に取り付けられている。
【００２５】
ガラス保持枠４２は、その上側部が軸４４を介してハウジング本体１２の前面上部に撮影光軸３０方向に回動自在に取り付けられ、その下側部には、ガラス保持枠４２の前記回動動作をガイドするねじ棒４６が突設されている。このねじ棒４６は、ハウジング本体１２の側面に形成されたガイド長孔４８に摺動自在に係合されている。また、ガイド長孔４８は、軸４４とねじ棒４６との距離を半径とする円弧に沿って形成されている。したがって、ガラス保持枠４２を軸４４を中心に回動させることが可能となる。また、角度設定後に、ガイド長孔４８から外方に突出したねじ棒４６をナット（不図示）で締結することにより、ガラス保持枠４２をその角度θでハウジング本体１２に固定することができる。軸４４、ねじ棒４６及びガイド長孔４８が、本発明の傾斜角度調整部材に相当するが、傾斜角度調整部材の構成はこれに限定されるものではなく、前面ガラス４０の傾斜角度を調整できるものであれば、その態様は問わない。
【００２６】
前面ガラス４０のガラス保持枠４２には、ワイパ装置５０が設けられている。このワイパ装置５０は、前面ガラス４０の被写体側の面に付着した水滴、塵埃等を拭き取るゴム製のワイパブレード５２を有している。ワイパブレード５２は、その上端部が駆動軸５４に連結され、この駆動軸５４の基端部はガラス保持枠４０にパッキン（不図示）を介して貫通配置されている。更に、駆動軸５４の基端部は、ユニバーサルジョイント５６を介してモータ５８の出力軸６０に連結されている。また、モータ５８は、ハウジング本体１２の内壁上面に固定座６２を介して固定されている。したがって、モータ５８の時計周り方向及び反時計周り方向の往復回動動力が、ユニバーサルジョイント５６を介して駆動軸５４に伝達されることにより、ワイパブレード５２が前面ガラス４０に沿って往復移動する。これにより、前面ガラス４０に付着した水滴、塵埃等がワイパブレード５２によって拭き取られる。なお、モータ５８のＯＮ／ＯＦＦも前述したコントローラによって遠隔制御されている。
【００２７】
次に、前記の如く構成されたテレビカメラハウジング１０の作用について説明する。
【００２８】
まず、実施の形態のテレビカメラハウジング１０によれば、前面ガラス４０の傾斜角度θが、レンズ装置４０の前玉レンズ２４の表面で反射して前面ガラス４０のレンズ装置２０側の面に映った反射像光がレンズ装置２０に入射しない角度（４０°〜４５°）に設定されている。これにより、前面ガラス４０に映った前記反射像光は、レンズ装置２０に入射しないので、高品位のテレビカメラ１４から得られる画像は良好なものとなる。
【００２９】
また、前面ガラスは、軸４４、ねじ棒４６及びガイド長孔４８からなる傾斜角度調整部材を介してハウジング本体１２に設けられているので、前面ガラス４０の傾斜角度θを任意の角度に設定できる。これにより、レンズ装置２０が広角レンズ装置に交換された際等に、そのレンズ装置に対応した傾斜角度θに容易に設定変更することができる。
【００３０】
更に、前面ガラス４０には、ワイパ装置５０が設けられている。これにより、前面ガラス４０に付着した水滴、塵埃等をワイパブレード５２によって除去することができるので、常に良好な映像を提供できる。
【００３１】
ところで、ワイパブレード５２を駆動するモータ５８を、ガラス保持枠４２に固定した場合、前面ガラス４０の傾斜角度調整時に、モータ５８の重量が前面ガラス４０にかかるため微妙な角度調整が難しくなる。そこで、実施の形態では、モータ５８をハウジング本体１２に固定することにより前面ガラス４０の角度調整作業を容易にし、且つモータ５８の動力をユニバーサルジョイント５６を介してワイパブレード５２に伝達している。これにより、前面ガラス４０の傾斜角度が変化しても、その角度変化をユニバーサルジョイント５６が吸収するので、モータ５８をハウジング本体１２に固定してもモータ５８の動力をワイパブレード５２に問題なく伝達することができる。
【図面の簡単な説明】
【００３２】
【図１】実施の形態のテレビカメラハウジングの断面図
【図２】従来のテレビカメラハウジングの断面図
【符号の説明】
【００３３】
１０…テレビカメラハウジング、１２…ハウジング本体、１４…テレビカメラ、１６…カメラ本体、２０…レンズ装置、２４…前玉レンズ、２６…固定鏡胴、２８…フォーカスリング、３０…撮影光軸、３２…ズームリング、３４…エクステンダユニット、３６…ドライブユニット、４０…前面ガラス、４２…ガラス保持枠、４４…軸、４６…ねじ棒、４８…ガイド長孔、５０…ワイパ装置、５２…ワイパブレード、５４…駆動軸、５６…ユニバーサルジョイント、５８…モータ
【図１】
2006135790.tif 000003
【図２】
2006135790.tif 000004